(57)【特許請求の範囲】
【請求項１】
着座部と内周側の内周側部と外周側の外周側部とを有する着座部材と、該着座部材に接合される底壁部材と、前記着座部材の着座部の裏側に設けられる便座加熱手段と、前記着座部材及び前記底壁部材の間に形成される中空空間内にあり前記便座加熱手段を介して前記着座部材を支持する支持部材とを備えた暖房便座であって、
前記便座加熱手段が、前記着座部材を加熱する線状発熱体と、スペーサーと、前記着座部材と当接し前記線状発熱体及び前記スペーサーが敷設される熱拡散シートと、該熱拡散シートとの間で前記線状発熱体及び前記スペーサーを挟持する固定シートとを有し、
前記支持部材が、前記支持部材の基部から突出し前記便座加熱手段と対向している第一
突出部を有し、
該第一突出部と前記着座部と前記内周側部と前記基部とで区画形成された空間の体積が、前記中空空間内の残りの空間の体積より小さいことを特徴とする暖房便座。
【請求項２】
前記支持部材が、前記第一突出部より外周側で前記支持部材の基部から突出し前記便座
加熱手段と対向している突出部を更に有しており、
前記第一突出部と前記着座部材と前記内周側部と前記基部とで構成される空間の体積が
、複数の前記突出部と前記着座部と前記基部とで構成される空間の体積および前記外周側
部と複数の前記突出部のうち最も前記外周側部に近い第二突出部と前記着座部と前記基部
と前記外周側部とで構成される空間の体積より小さいことを特徴とする請求項１に記載の
暖房便座。
【請求項３】
前記内周側部と前記第一突出部との距離が、前記外周側部と前記第一突出部との距離よ
り短いことを特徴とする請求項１または請求項２に記載の暖房便座。
【請求項４】
前記内周側部と前記第一突出部との距離と、複数の前記突出部間の距離と、前記外周側
部と前記第二突出部との距離とが、前記外周側部側に向かうにつれて大きくなっているこ
とを特徴とする請求項２に記載の暖房便座。
【発明の詳細な説明】
【技術分野】
【０００１】
本発明は、内部に支持部材を有する暖房便座に関する。
【背景技術】
【０００２】
従来、便座表面を形成する着座部材と、便座底面を形成する底壁部材の２部材から構成される便座を有し、着座部材の着座面の裏面に熱源となるヒーターが貼り付けられた暖房便座が知られている。
【０００３】
このような暖房便座において、着座部材と離間対向する荷重支持体を有した荷重受け部を着座部材と底壁部材との間に備えて、使用者の着座による荷重に耐えるようにした便座構造がある（例えば、特許文献１参照）。
【先行技術文献】
【特許文献】
【０００４】
【特許文献１】特開２０１３−２３６６５３号公報
【発明の概要】
【発明が解決しようとする課題】
【０００５】
このような特許文献１に記載されている便座構造は、ヒーターからの発熱が底壁部材側に伝わることを抑制する断熱層の役割を果たす空気層を着座部材と荷重支持体との間に有しているが、それでも空気層へヒーターからの熱が逃げてしまうため、着座部材を効率よく加熱することができない。
【０００６】
そこで、本発明は、前述したような従来技術の問題を解決するものであって、すなわち、本発明の目的は、効率的に着座部材を加熱する暖房便座を提供することである。
【課題を解決するための手段】
【０００７】
本請求項１に係る発明は、着座部と内周側の内周側部と外周側の外周側部とを有する着座部材と、該着座部材に接合される底壁部材と、前記着座部材の着座部の裏側に設けられ
る便座加熱手段と、前記着座部材及び前記底壁部材の間に形成される中空空間内にあり前記便座加熱手段を介して前記着座部材を支持する支持部材とを備えた暖房便座であって、前記便座加熱手段が、前記着座部材を加熱する線状発熱体と、スペーサーと、前記着座部材と当接し前記線状発熱体及び前記スペーサーが敷設される熱拡散シートと、該熱拡散シートとの間で前記線状発熱体及び前記スペーサーを挟持する固定シートとを有し、前記支持部材が、前記支持部材の基部から突出し前記便座加熱手段と対向している第一突出部を有し、該第一突出部と前記着座部と前記内周側部と前記基部とで区画形成された空間の体積が、前記中空空間内の残りの空間の体積より小さいことにより、前述した課題を解決するものである。
【０００８】
本発明の暖房便座は、着座部材及び底壁部材の間で形成される中空空間内にあり便座加熱手段を介して着座部材を支持する支持部材を備えていることにより、着座時に着座部材が撓んで支持部材と当接する際に着座部にかかる荷重を支持部材が支持するため、支持部材がない場合と比べて着座に対する支持強度を増すばかりでなく、以下のような特有の効果を奏することができる。
【０００９】
すなわち、本請求項１に係る発明の暖房便座によれば、第一突出部と着座部と内周側部と基部とで区画形成された空間の体積が、中空空間内の残りの空間の体積より小さいこと
により、便座加熱手段による発熱の中空空間に逃げる熱が使用者と最も接触しやすい着座
部材内周側で少なくなるため、効率的に着座部材を加熱することができる。また、熱拡散シート及び固定シートが、線状発熱体及びスペーサーを挟持する。これにより、スペーサーの熱拡散シートからのはく離が抑制されると共にスペーサーが位置決めされる。
【００１０】
本請求項２に係る発明は、請求項１に記載された暖房便座の構成に加えて、前記支持部材が、前記第一突出部より外周側で前記支持部材の基部から突出し前記便座加熱手段と対向している突出部を更に有しており、前記第一突出部と前記着座部と前記内周側部と前記基部とで構成される空間の体積が、複数の前記突出部と前記着座部と前記基部とで構成される空間の体積および前記外周側部と複数の前記突出部のうち最も前記外周側部に近い第二突出部と前記着座部材と前記基部と前記外周側部とで構成される空間の体積より小さいことにより、前述した課題を解決するものである。
【００１１】
本請求項２に係る発明の暖房便座によれば、請求項１に係る発明が奏する効果に加えて、支持部材が、第一突出部より外周側で支持部材の基部から突出し便座加熱手段と対向している突出部を更に有してことにより、複数の突出部が着座部材を支持するため、使用者の着座に対する支持強度を更に増すことができる。
さらに、第一突出部と着座部と内周側部と基部とで構成される空間の体積が、複数の突出部と着座部と基部とで構成される空間の体積および外周側部と複数の突出部のうち最も外周側部に近い第二突出部と着座部材と基部と外周側部とで構成される空間の体積より小さいことにより、便座加熱手段による発熱の中空空間に逃げる熱が使用者と最も接触しやすい着座部材内周側で少なくなるため、より効率的に着座部材を加熱することができる。
【００１２】
本請求項３に係る発明は、請求項１または請求項２に記載された暖房便座の構成に加えて、前記内周側部と前記第一突出部との距離が、前記外周側部と前記第一突出部との距離より短いことにより、前述した課題を解決するものである。
【００１３】
本請求項３に係る発明の暖房便座によれば、請求項１または請求項２に係る発明が奏する効果に加えて、内周側部と第一突出部との距離が、外周側部と第一突出部との距離より短いことにより、第一突出部が使用者と最も接触しやすい着座部材内周側により近づくため、使用者の着座に対する支持強度を更に増すことができる。
【００１４】
本請求項４に係る発明は、請求項２に記載された暖房便座の構成に加えて、前記内周側部と前記第一突出部との距離と、複数の前記突出部間の距離と、前記外周側部と前記第二突出部との距離とが、前記外周側部側に向かうにつれて大きくなっていることにより、前述した課題を解決するものである。
【００１５】
本請求項４に係る発明の暖房便座によれば、請求項２に係る発明が奏する効果に加えて、内周側部と第一突出部との距離と、複数の突出部間の距離と、外周側部と第二突出部との距離とが、外周側部側に向かうにつれて大きくなっていることにより、便座加熱手段による発熱の中空空間に逃げる熱が使用者と最も接触しやすい着座部材内周側で少なくなるため、より効率的に着座部材を加熱することができる。
【発明の効果】
【００１６】
本発明により、支持部材がない場合と比べて着座に対する支持強度を増すばかりでなく、効率的に着座部材を加熱することができる。
【図面の簡単な説明】
【００１７】
【図１】本発明の第１実施形態の暖房便座の外観斜視図。
【図２】図１のＡ−Ａ断面図。
【図３】図２の要部拡大図。
【図４】本発明の第２実施形態におけるＡ−Ａ断面図。
【発明を実施するための形態】
【００１８】
（第１実施形態）
以下に、本発明の第１実施形態である、暖房便座１００について、図１乃至図３に基づいて説明する。
【００１９】
図１は、本発明の第１実施形態の暖房便座１００の外観斜視図であり、使用者の臀部を暖める暖房便座１００は環状であり、大便器Ｔの前方に載置されている。
【００２０】
図２は、図１のＡ−Ａ断面図であり、暖房便座１００は着座部材１１０と底壁部材１２０とを備えている。
【００２１】
着座部材１１０は、使用者が着座する面を構成する着座部１１１と、この着座部１１１から滑らかに連続した着座部材１１０の側面を構成する側部（内周側の内周側部１１２および外周側の外周側部１１３）とを有しており、可撓性がある。
【００２２】
また底壁部材１２０は、大便器Ｔと対向する底面部１２１と、内周側部１１２の底面に設けられた略水平の内周側接合面１１２ａと対向する内周凸部１２２と、外周側部１１３に設けられた略水平の外周側接合面１１３ａと対向する外周凸部１２３とを有している。
【００２３】
そして、内周側接合面１１２ａと内周凸部１２２、および外周側接合面１１３ａと外周凸部１２３がそれぞれ接合され、着座部材１１０と底壁部材１２０が接合されている。
これにより、着座部材１１０と底壁部材１２０と間に中空空間Ｖが形成されている。
【００２４】
さらに、着座部材１１０の着座部１１１の裏面にはそれ自体が加熱することで着座部１１１を介して使用者の臀部を加熱する便座加熱手段１３０が貼付されている。
【００２５】
便座加熱手段１３０の詳細な構成について、使用者が着座していない際の図２の要部拡大図である図３により説明する。
【００２６】
便座加熱手段１３０は、線状の発熱体である線状発熱体１３１と、着座部１１１の裏側ほぼ全面に貼付されると共に線状発熱体１３１が敷設され、線状発熱体１３１が発した熱を着座部１１１の全域へと拡散する熱拡散シート１３３と、この熱拡散シート１３３と共に線状発熱体１３１を挟持する固定シート１３４とを備えている。
【００２７】
さらに、便座加熱手段１３０は、熱拡散シート１３３と固定シート１３４との間に、線状発熱体１３１の他に、断面形状が矩形のスペーサー１３２を後述する支持部材１４０の第一突出部１４３から距離ｄｓだけ上方にさらに備えている。
【００２８】
つまり、熱拡散シート１３３及び固定シート１３４が、線状発熱体１３１及び線状発熱体１３１と異なる位置にあるスペーサー１３２を挟持している。
これにより、スペーサー１３２の熱拡散シート１３３からのはく離が抑制されると共にスペーサー１３２が位置決めされる。
【００２９】
そして、スペーサー１３２の高さＨｓが線状発熱体１３１の厚みＨｈより大きく、スペーサー１３２の幅Ｗｓが第一突出部１４３ａの幅Ｗより大きい。
これにより、多少の組み付け誤差があったとしても、スペーサー１３２と第一突出部１４３ａが対向する。
【００３０】
また、図２および図３によれば、中空空間Ｖ内には、使用者が着座していない際に便座加熱手段１３０と離間対向しており、使用者の着座等により着座部１１１が撓んだ際に便座加熱手段１３０と当接し着座部１１１にかかる荷重を支持する支持部材１４０が設けられている。
これにより、着座時に着座部材１１０が支持部材１４０と当接する際に着座部１１１にかかる荷重を支持部材１４０が支持する。
【００３１】
支持部材１４０は、水平基部１４１と、複数の垂下部１４２（１４２ａ、１４２ｂ、１４２ｃ）と、突出部１４３（第一突出部１４３ａ）で構成されている。
【００３２】
水平基部１４１は、着座部１１１と略平行に対向し着座部材１１０の内壁（内周側内壁１１２ｂおよび外周側内壁１１３ｂ）近傍まで延びる基部である。
【００３３】
複数の垂下部１４２（１４２ａ、１４２ｂ、１４２ｃ）は、この水平基部１４１から下方に垂れ下がり底壁部材１２０と当接する。
そして、垂下部１４２ａは水平基部１４１の最内周側から垂下しており、垂下部１４２ｃは水平基部１４１の最外周側から垂下している。
また、垂下部１４２ｂは垂下部１４２ａと垂下部１４２ｂの間で水平基部１４１から垂下している。
【００３４】
突出部１４３（第一突出部１４３ａ）は、水平基部１４１の垂下部１４２ｂが設けられた位置から便座加熱手段１３０に向かってほぼ鉛直に突出すると共に使用者が着座していない際に便座加熱手段１３０と離間対向している。
そして、荷重支持部１４３が便座加熱手段１３０と離間対向している場合において、着座部材１１０の変形により着座部１１１が撓み、着座部１１１が座加熱手段１３０を介して第一突出部１４３ａと接触した際には、第一突出部１４３ａは着座部１１１にかかる荷重を支持する。
なお、荷重支持部１４３は便座加熱手段１３０と対向していれば、便座加熱手段１３０と接触していてもよい。
【００３５】
また、第一突出部１４３ａの高さＨ１は、垂下部１４２ｂの高さＨ２より高い。
これにより、より使用者に近い方の中空空間Ｖを高さ方向に狭くとることができる。
【００３６】
そして、第一突出部１４３ａが便座加熱手段１３０と離間対向していることにより、着座部材１１０に着座等の押圧が加わり、着座部材１１０が撓んだとしても、着座部材１１０と支持部材１４０（第一突出部１４３ａ）とが接触しにくくなっている。
【００３７】
そして、内周側部１１２の内側の内周側内壁１１２ｂから第一突出部１４３ａの内周側までの水平方向の距離Ｌ１は外周側部１１３の内側の外周側内壁１１３ｂから第一突出部１４３ａの外周側までの水平方向の距離Ｌ２より短い。
これにより、第一突出部１４３ａが使用者と最も接触しやすい着座部材内周側により近づく。
【００３８】
さらに、第一突出部１４３ａは暖房便座１００の全周に渡って形成されている。
よって、第一突出部１４３ａと着座部１１１と内周側部１１２と水平基部１４１とで区画形成される空間Ｖ１の体積が、中空空間Ｖ内の残りの空間Ｖ２の体積より小さくなり、便座加熱手段１３０による発熱の中空空間Ｖに逃げる熱が使用者と最も接触しやすい着座部材内周側で少なくなる。
【００３９】
このようにして得られた本実施形態の暖房便座１００は、着座部材１１０及び底壁部材１２０の間で形成される中空空間Ｖ内にあり便座加熱手段１３０を介して着座部材１１０を支持する支持部材１４０を備えていることにより、着座時に着座部材１１０が撓んで支持部材１０と当接する際に着座部１１１にかかる荷重を支持部材１４０が支持するため、支持部材１４０がない場合と比べて着座に対する支持強度を増すばかりでなく、第一突出部１４３ａと着座部１１１と内周側部１１２と基部である水平基部１４１とで区画形成された空間Ｖ１の体積が、中空空間Ｖ内の残りの空間の体積より小さいことにより、便座加熱手段１３０による発熱の中空空間Ｖに逃げる熱が使用者と最も接触しやすい着座部材内周側で少なくなるため、効率的に着座部材１１０を加熱することができる。
【００４０】
内周側部１１２と第一突出部１４３ａとの距離が、外周側部１１３と第一突出部１４３ａとの距離より短いことにより、第一突出部１４３ａが使用者と最も接触しやすい着座部材内周側により近づくため、使用者の着座に対する支持強度を更に増すことができる。
【００４１】
（第２実施形態）
以下に、本発明の第２実施形態である暖房便座２００について、説明する。
【００４２】
第２実施形態の暖房便座２００は、外観が第１実施形態の暖房便座１００と共通している。
図４は本発明の第１実施形態の暖房便座１００におけるＡ−Ａと同じ場所における第２実施形態の暖房便座２００の断面図（Ａ−Ａ断面図）であり、第２実施形態の暖房便座２００は、第１実施形態の暖房便座１００の支持部材１４０の形状を変えたものであり、多くの要素について第１実施形態の暖房便座１００と共通するので、共通する事項については詳しい説明を省略し、下２桁が共通する２００番台の符号を付すのみとする。
【００４３】
本発明の第２実施形態である暖房便座２００は、支持部材２４０が、水平基部２４１と、複数の垂下部２４２（２４２ａ、２４２ｂ、２４２ｃ、２４２ｄ）と、複数の突出部２４３（第一突出部１４３ａ、第二突出部２４３ｂ）で構成されている。
【００４４】
水平基部２４１は、着座部２１１と略平行に対向し着座部材２１０の内壁（内周側内壁２１２ｂおよび外周側内壁２１３ｂ）近傍まで延びる基部である。
【００４５】
複数の垂下部２４２（２４２ａ、２４２ｂ、２４２ｃ、２４２ｄ）は、この水平基部２４１から下方に垂れ下がる底壁部材２２０と当接する。
そして、垂下部２４２ａは水平基部２４１の最内周側から垂下しており、垂下部２４２ｄは水平基部２４１の最外周側から垂下している。
また、垂下部２４２ｂ、２４２ｃは垂下部２４２ａと垂下部２４２ｂの間で水平基部２４１から垂下しており、垂下部２４２ｂが垂下部２４２ｃより内周側に位置している。
【００４６】
突出部２４３（第一突出部２４３ａ、第二突出部２４３ｂ）は、水平基部２４１から上方に立ち上がり使用者が着座していない際に便座加熱手段２３０と離間対向して便座加熱手段２３０に向かって上方に突出すると共に着座部材２１０からの荷重を支持する。
これにより、複数の突出部２４３（第一突出部２４３ａ、第二突出部２４３ｂ）が着座部材２１０を支持する。
なお、荷重支持部２４３は便座加熱手段２３０と対向していれば、便座加熱手段２３０と接触していてもよい。
【００４７】
また、本実施形態において、突出部は第一突出部２４３ａと第二突出部２４３ｂの２つを備えているが、第一突出部２４３ａと第二突出部２４３ｂの間にさらに突出部を備えてもよい。
【００４８】
そして、内周側部２１２の内側の内周側内壁２１２ｂから第一突出部２４３ａの内周側までの水平方向の距離Ｌ１は、外周側部２１３の内側の外周側内壁２１３ｂから第一突出部２４３ａの外周側までの水平方向の距離Ｌ４より短い。
これにより、第一突出部１４３ａが使用者と最も接触しやすい着座部材内周側により近づく。
【００４９】
さらに、内周側部２１２と第一突出部２４３ａとの水平方向の距離Ｌ１より、第一突出部２４３ａと第二突出部２４３ｂとの水平方向の距離Ｌ２は大きい。
また、第一突出部２４３ａと第二突出部２４３ｂとの水平方向の距離Ｌ２より、外周側部２１３と第二突出部２４３ｂとの水平方向の距離Ｌ３は大きい。
すなわち、内周側部２１２と第一突出部２４３ａとの水平方向の距離Ｌ１と、複数の突出部間の水平方向の距離（本実施形態においては、第一突出部２４３ａと第二突出部２４３ｂとの水平方向の距離Ｌ２）と、外周側部２１３と第二突出部２４３ｂとの水平方向の距離Ｌ３とが、外周側部２１３側に向かうにつれて大きくなっている。
これにより、便座加熱手段２３０による発熱の中空空間Ｖに逃げる熱が使用者と最も接触しやすい着座部材内周側で少なくなる。
【００５０】
さらに、第一突出部２４３ａおよび第二突出部２４３ｂは暖房便座２００の全周に渡って形成されている。
よって、第一突出部２４３ａと着座部２１１と内周側部２１２と水平基部２４１とで区画形成される空間の体積Ｖ１が、複数の突出部と着座部２１１と水平基部２４１とで構成される空間（本実施形態においては、第一突出部２４３ａと第二突出部２４３ｂと着座部２１１と水平基部２４１とで構成される空間Ｖ２）の体積および外周側部２１３と複数の突出部のうち最も外周側部２１３に近い第二突出部２４３ｂと着座部２１１と水平基部２４１と内周側部２１２とで構成される空間Ｖ３の体積より小さい。
これにより、便座加熱手段２３０による発熱の中空空間Ｖに逃げる熱が使用者と最も接触しやすい着座部材内周側で少なくなる
【００５１】
このようにして得られた本実施形態の暖房便座２００は、着座部材２１０及び底壁部材２２０の間で形成される中空空間Ｖ内にあり便座加熱手段２３０を介して着座部材２１０を支持する支持部材２４０を備えていることにより、着座時に着座部材２１０が撓んで支持部材２４０と当接する際に着座部２１１にかかる荷重を支持部材２４０が支持するため、支持部材２４０がない場合と比べて着座に対する支持強度を増すばかりでなく、第一突出部２４３ａと着座部２１１と内周側部２１２と基部である水平基部２４１とで区画形成された空間Ｖ１の体積が、中空空間Ｖ内の残りの空間の体積より小さいことにより、便座加熱手段２３０による発熱の中空空間Ｖに逃げる熱が使用者と最も接触しやすい着座部材内周側で少なくなるため、効率的に着座部材２１０を加熱することができる。
【００５２】
また、支持部材２４０が、第一突出部２４３ａより外周側で支持部材２４０の水平基部２４１から突出し便座加熱手段２３０と対向している突出部を更に有していることにより、複数の突出部２４３が着座部材２１０を支持するため、使用者の着座に対する支持強度を更に増すことができる。
さらに、第一突出部２４３と着座部２１１と内周側部２１２と水平基部２４１とで構成される空間Ｖ１の体積が、複数の突出部２４３と着座部２１１と支持部材２４０とで構成される空間の体積および外周側部２１３と複数の突出部２４３のうち最も外周側部に近い第二突出部２４３ｂと着座部２１１と水平基部２４１と外周側部２１３とで構成される空間Ｖ３の体積より小さいことにより、便座加熱手段２３０による発熱の中空空間Ｖに逃げる熱が使用者と最も接触しやすい着座部材内周側で少なくなるため、より効率的に着座部材２１０を加熱することができる。
【００５３】
内周側部２１２と第一突出部２４３ａとの距離Ｌ１が、外周側部２１３と第一突出部２４３ａとの距離Ｌ４より短いことにより、第一突出部２４３ａが使用者と最も接触しやすい着座部材内周側により近づくため、使用者の着座に対する支持強度を更に増すことができる。
【００５４】
内周側部２１２と第一突出部２４３ａとの距離Ｌ１と、複数の突出部２４３間の距離Ｌ２と、外周側部２１３と第二突出部２４３ｂとの距離Ｌ３とが、外周側部２１３側に向かうにつれて大きくなっていることにより、便座加熱手段２３０による発熱の中空空間Ｖに逃げる熱が使用者と最も接触しやすい着座部材内周側で少なくなるため、より効率的に着座部材２１０を加熱することができる。
【００５５】
（変形例）
以上、本発明を実施するための形態について説明したが、本発明は上記に限定されるものではない。
本発明は、着座部と内周側の内周側部と外周側の外周側部とを有する着座部材と、該着座部材に接合される底壁部材と、前記着座部材の着座部の裏側に設けられる便座加熱手段と、前記着座部材及び前記底壁部材の間に形成される中空空間内にあり前記便座加熱手段を介して前記着座部材を支持する支持部材とを備えた暖房便座であって、前記支持部材が、前記支持部材の基部から突出し前記便座加熱手段と対向している第一突出部を有し、該第一突出部と前記着座部と前記内周側部と前記基部とで区画形成された空間の体積が、前記中空空間内の残りの空間の体積より小さいものであり、支持部材がない場合と比べて着座に対する支持強度を増すばかりでなく、効率的に着座部材を加熱するものであれば、その具体的な実施態様は、如何なるものであっても構わない。
【００５６】
例えば、暖房便座の外観を形成する着座部材および底壁部材の材質は、ポリプロピレン樹脂やＡＢＳ樹脂等の射出成型することが可能なものであれば、如何なるものであってもよい。
また、着座部材と底壁部材との材質は同じである必要はない。
【００５７】
また、着座部材と底壁部材の接合方法については、本実施形態では振動溶着を用いているが、接合方法が振動溶着に限定されるものではなく、たとえばスナップフィット（掛合）を用いてもよいし、着座部材と底壁部材との境界面に樹脂を充填させて両者を接合させてもよい。
【００５８】
また、熱拡散シートの材質は、アルミニウム、銅など熱伝導率が高く、成型性に優れているものであれば、如何なるものであっても構わない。
【００５９】
また、固定シートの材質については、難燃性の材質であれば如何なるものであってもよく、熱拡散シートと同じ材質であってもよい。
【００６０】
また、突出部は垂下部の鉛直上に形成されていなくてもよい。
【００６１】
そして、前述した各実施形態が備える各要素は、技術的に可能である限り組み合わせることができ、これらを組み合わせたものも本発明の特徴を含む限り本発明の範囲に包含される。
【符号の説明】
【００６２】
１００  、２００  ・・・  暖房便座
１１０  、２１０  ・・・  着座部材
１１１  、２１１  ・・・  着座部
１１２  、２１２  ・・・  内周側部
１１２ａ、２１２ａ・・・  内周側接合面
１１２ｂ、２１２ｂ・・・  内周側内壁
１１３  、２１３  ・・・  外周側部
１１３ａ、２１３ａ・・・  外周側接合面
１１３ｂ、２１３ｂ・・・  外周側内壁
１２０  、２２０  ・・・  底壁部材
１２１  、２２１  ・・・  底面部
１２２  、２２２  ・・・  内周凸部
１２３  、２２３  ・・・  外周凸部
１３０  、２３０  ・・・  便座加熱手段
１３１            ・・・  線状発熱体
１３２            ・・・  スペーサー
１３３            ・・・  熱拡散シート
１３４            ・・・  固定シート
１４０  、２４０  ・・・  支持部材
１４１  、２４１  ・・・  水平基部（基部）
１４２  、２４２  ・・・  垂下部
１４２ａ、２４２ａ・・・  垂下部
１４２ｂ、２４２ｂ・・・  垂下部
１４２ｃ、２４２ｃ・・・  垂下部
２４２ｄ・・・  垂下部
１４３  、２４３  ・・・  突出部
１４３ａ、２４３ａ・・・  第一突出部
２４３ｂ・・・  第二突出部
Ｔ              ・・・  大便器
Ｖ              ・・・  中空空間
ｄｈ            ・・・  スペーサーと線状発熱体との距離
ｄｓ            ・・・  スペーサーと突出部の上端との距離
Ｈｈ            ・・・  線状発熱体の厚み
Ｈｓ            ・・・  スペーサーの高さ
Ｗｓ            ・・・  スペーサーの幅
Ｗ              ・・・  突出部の幅
Ｈ１            ・・・  突出部の高さ
Ｈ２            ・・・  垂下部の高さ
【図１】
0006395106.tif 000002
【図２】
0006395106.tif 000003
【図３】
0006395106.tif 000004
【図４】
0006395106.tif 000005